(57)【要約】【課題】熱交換器を含む熱交換系のエネルギー効率が高く、天井吹出口から吹下す空気に温度ムラを生じなくする空調システムを提供する。【解決手段】ケーシング２内に吸込口３と吹出口２を連通する熱交用通気路５及びバイパス通気路６を並列に形成し、吹出口２側において熱交用通気路５とバイパス通気路６とが合流する混合室７を設け、熱交用通気路５内に熱交換器８及び熱交用ファン９を配設し、混合室７内に混合ファン１０を配設した。熱交用通気路５の流量とバイパス通気路６の流量とを独立に制御可能とし、全体の空気流量を制御しつつ熱交換器８を含む熱交換系全体のエネルギー効率が最適となるように熱交用通気路５の空気流量を制御することができる。【選択図】図１
2020115058.tif 000002
【特許請求の範囲】
【請求項１】
一端側の側面に吸込口、他端側に吹出口が形成されたケーシングと、
前記ケーシング内に形成された、前記吸込口と前記吹出口を連通する熱交用通気路と、
前記ケーシング内に前記熱交用通気路に並列に形成された、前記吸込口と前記吹出口を連通するバイパス通気路と、
前記ケーシング内の前記吹出口側において前記熱交用通気路と前記バイパス通気路とが合流する混合室と、
前記熱交用通気路内又はその入口に配設された熱交換器と、
前記熱交用通気路内に配設され、前記吸込口側から前記吹出口側へ空気を圧送する熱交用ファンと、
前記混合室内に配設された、前記吹出口側へ空気を混合圧送する混合ファンと、を備えた空調機ユニット。
【請求項２】
前記熱交換器の前記吹出口側又は前記混合室内に設けられた電気補助ヒータを備えた請求項１記載の空調機ユニット。
【請求項３】
前記熱交用通気路内の前記熱交換器の近傍に設けられた殺菌灯を備えた請求項１又は２記載の空調機ユニット。
【請求項４】
室の床面近旁の壁面に形成された下部還気口と、
室の天井面近旁の壁面又は室の壁面近旁の天井面に形成された上部還気口と、
室の天井面に形成された給気口と、
前記下部還気口に前記吸込口が面するように、室の壁の外側に設置された請求項１乃至３の何れか一記載の空調機ユニットと、
前記上部還気口と前記空調機ユニットの前記混合室の前記混合ファンの吸引口側とを連通する上部還気管と、
前記空調機ユニットの前記吹出口と前記給気口とを連通する給気管と、を備えた空調システム。
【発明の詳細な説明】
【技術分野】
【０００１】
本発明は、病院内の医用室やクリーンルーム等の室の空気調和に使用される空調機ユニットに関する。
【背景技術】
【０００２】
病院内の病室、手術室等の医用室やクリーンルーム等の室の空気調和は、室の床面近傍に設けられた吸い込みダクトから室内空気を吸い込み、温度・湿度の調整を行った後、除塵し、天井に設けられた吹出ダクトから室内へ環流する循環型空気調和が用いられることが多い。このような循環型空気調和による空気調和としては、特許文献１−７に記載のものが公知である。
【０００３】
特許文献１には、手術室（１）の下部側壁に吸気口（３）を設けるとともに天上部に吹出口（４）を設け、送風機（６）を作動させることにより吸気口から吸引した空気を吹出口から手術室（１）内に吹出させる空気循環路（５）を形成し、該空気循環路に空気を冷却または加熱する熱交換器（８）を設け、該熱交換器を迂回して空気を流通させるバイパス路（１３）を設けるとともに該バイパス路（１３）に風量調整ダンパ（１４）を設け、バイパス路（１３）を通る空気と熱交換器（８）を通る空気とが所定比率で混合されて手術室（１）内に吹出されるようにした手術室用空調装置が記載されている（仝文献図１、明細書〔００１２〕〔００１５〕−〔００２０〕参照）。
【０００４】
特許文献２には、冷熱源装置から冷却・減湿用の冷水が供給される冷水制御弁を備えた冷水コイル（４）と、温熱源装置から加熱・再熱用の温水が供給される温水制御弁を備えた温水コイル（６）を具備してなり、冷水コイル（４）をそれぞれが冷水制御弁によって独立に水量制御可能な２台の冷水コイルユニット（４ａ）により構成して温水コイル（６）の前段に並設し、ケーシング（１１）内に、上流側から下流側にかけて冷水コイル（４）、温水コイル（６）、加湿器（１５）、送風機（１４）をこの順に直列に組み込み、ケーシング（１１）内の吸込口（１２）の近傍位置に温湿度センサー（２０）を設置し、上記空調機（２）を手術室（１）に面する位置に配置して還気（ＲＡ）を吸引し、調製した給気（ＳＡ）を手術室（１）に吹き出すとともに、外調機（２５）により外気（ＯＡ）を処理して手術室に吹き出す空調システムが記載されている（仝文献図１、明細書〔００２１〕−〔００２２〕参照）。
【０００５】
また、特許文献３−８には、手術室の床面近傍に設けられた吸い込みダクトから室内空気を吸い込み、温度の調整を行った後、除塵し、天井に設けられた吹出ダクトから室内へ環流する循環型空気調和システムであって、温水コイル又は冷水コイル、及び送風機をケーシング内に内蔵した空調機ユニットを備えた循環型空調システムが記載されている。
【先行技術文献】
【特許文献】
【０００６】
【特許文献１】特開２０１４−０８７３８４号公報
【特許文献２】特開２０１４−１２２７４０号公報
【特許文献３】特開２０１７−０９３６０８号公報
【特許文献４】特開２０１３−１４８２４１号公報
【特許文献５】特開２０１５−０８０５９０号公報
【特許文献６】特開２０１５−０８１７２０号公報
【特許文献７】特開２０１５−１００５５４号公報
【特許文献８】特開２０１８−０５７９２９号公報
【発明の概要】
【発明が解決しようとする課題】
【０００７】
病院内の医用室やクリーンルーム等においては、温度が調整された空気（調温空気）を天井に設けた天井吹出口から吹き下ろすとともに、室内空気を床面又は床面近傍から環流又は排気することにより、室内の温度を所定の温度に調整するとともに天井から床面に向かう気流（層流）をできるだけ維持して室内の清浄度を保っている。この際、清浄度を保つために、天井から床面に吹き下ろす気流の最適な流量が決まる。従って、空気調和における空調機の流量は、この清浄度維持に最適な流量によって決定される。一方、空調機から出力される空気の温度は、熱交換器（温水コイル又は冷水コイル）に流す熱媒の温度、及び熱交換器を通過する空気流量によって決まる。
【０００８】
特許文献１に記載の空調機では、温度調整用の熱交換器（８）と並列にバイパス路（１３）を設け、熱交換器（８）とバイパス路（１３）との並列回路の下流側に送風機（６）を設けてこの送風機（６）によって熱交換器（８）とバイパス路（１３）との並列回路に空気を流通させるとともに、バイパス路（１３）に設けた風量調整ダンパ（１４）によって空気とが所定比率で混合されて手術室（１）内に吹出されるように構成されている（仝文献図１参照）。この場合、清浄度維持に最適な流量を確保するために風量調整ダンパ（１４）を大きく開くと、バイパス路（１３）の流路抵抗が大きく低下するため、バイパス路（１３）を流通する空気流量が増加するとともに、熱交換器（８）を流通する空気流量が大きく低下する。従って、調温空気を要求された温度に調整するためには、熱交換器（８）を流通する空気流量が低下した分だけ熱交換器（温水コイル又は冷水コイル）に流す熱媒の温度を過剰に高温又は低温に振る必要があるため、温度制御性・追随性が低下するとともに熱交換器を含む熱交換系の熱量ロスが大きくなり熱交換系全体のエネルギー効率も低下するという問題がある。
【０００９】
特許文献２−８の空調システムでは、空調機内にバイパス流路は設けず環流された室内空気を総て空調機内に設けた熱交換器に通過させる構成とし、清浄度維持に最適な流量に対して空調機能力では不足する流量分は、外気又は天井の上部吸込口から取り入れられる室内空気（流量補填空気）を、天井吹出口の手前で混合して室内へ吹き出すように構成している。然し乍ら、実際のケースでは、一般に空調機を通過する調温空気と上部吸込口から取り入れられる流量補填空気との温度差が大きくなり、上部吸込口の手前で両者が合流しても十分には混合されない場合が多く見られ（温度が大きく異なる空気は混ざりにくいため）、天井吹出口から室内に吹き下ろされる空気に温度ムラが生じ易いという問題があった。
【００１０】
そこで、本発明の目的は、医用室やクリーンルーム等の室内空調において、熱交換器を含む熱交換系のエネルギー効率が高く、天井吹出口から室内に吹き下ろされる空気に温度ムラを生じなくすることが可能な空調機ユニット及び空調システムを提供することにある。
【課題を解決するための手段】
【００１１】
本発明に係る空調機ユニットの第１の構成は、一端側の側面に吸込口、他端側に吹出口が形成されたケーシングと、
前記ケーシング内に形成された、前記吸込口と前記吹出口を連通する熱交用通気路と、
前記ケーシング内に前記熱交用通気路に並列に形成された、前記吸込口と前記吹出口を連通するバイパス通気路と、
前記吹出口側において前記熱交用通気路と前記バイパス通気路とが合流する混合室と、
前記熱交用通気路内又はその入口に配設された熱交換器と、
前記熱交用通気路内に配設され、前記吸込口側から前記吹出口側へ空気を圧送する熱交用ファンと、
前記混合室内に配設された、前記吹出口側へ空気を混合圧送する混合ファンと、を備えたことを特徴とする。
【００１２】
この構成によれば、熱交用通気路を流通する熱交換器で調温される空気の流量は熱交用ファンによって調整され、また、熱交用通気路及びバイパス通気路を流通する空調機ユニットから吐出される全体の空気流量は混合ファンで調整される。従って、熱交用通気路を流通する空気流量とバイパス通気路を流通する空気流量とはそれぞれ独立に制御が可能であるため、混合ファンによって空調機ユニットから吐出される全体の空気流量を制御しつつ、熱交用ファンによって熱交換器を含む熱交換系全体のエネルギー効率が最適となるように熱交用通気路の空気流量を制御することができる。また、熱交用通気路において調温された空気と、バイパス通気路を通過した調温されていない空気とは、混合ファンを通過することで完全に混合される。そのため、空調機ユニットから吐出される空気に温度ムラを生じなくすることが可能となる。
【００１３】
本発明に係る空調機ユニットの第２の構成は、前記第１の構成において、前記熱交用通気路内の前記熱交換器の前記吹出口側又は前記混合室内に設けられた電気補助ヒータを備えたことを特徴とする。
【００１４】
この構成によれば、熱交用通気路の熱交換器による加温では、必要熱量に不十分な場合、電気補助ヒータによって不足熱量を補うことにより、空調機ユニットから吐出される空気流量が大きい場合でも、空調機ユニットから吐出される空気の温度を要求される温度に調温することが可能となる。
【００１５】
本発明に係る空調機ユニットの第３の構成は、前記第１又は２の構成において、前記熱交換器の近傍に設けられた殺菌灯を備えたことを特徴とする。
【００１６】
この構成によれば、熱交換器は、その近傍に設けられた殺菌灯によって殺菌されるので、熱交換器周辺の熱交用通気路内にカビが発生することが防止される。
【００１７】
本発明に係る空調システムは、室の床面近傍の壁面に形成された下部還気口と、
室の天井面近傍の壁面又は室の壁面近傍の天井面に形成された上部還気口と、
室の天井面に形成された給気口と、
前記下部還気口に前記吸込口が面するように、室の壁の外側に設置された前記第１乃至３の何れか一の構成の空調機ユニットと、
前記上部還気口と前記空調機ユニットの前記混合室の前記混合ファンの吸引口側とを連通する上部還気管と、
前記空調機ユニットの前記吹出口と前記給気口とを連通する給気管と、を備えたことを特徴とする。
【００１８】
この構成によれば、下部還気口から吸入される室内空気は、熱交用通気路及びバイパス通気路の並列回路を通過して混合ファンへ流入する。また、上部還気口から吸入される、室の天井面の壁面近傍の室内空気は、上部還気管を通過して混合ファンへ流入する。そして、これらの空気は混合ファンで完全に混合された後、給気口から室内へ放出される。室の天井面の壁面近傍は、室内が渦を作りやすくこの渦により室内の塵埃が空中に留まりやすい。そこで、このように、室の天井面の壁面近傍の室内空気を上部還気口から混合ファンへ吸引させることで、室の天井面の壁面近傍の空中に塵埃が留まりにくくすることができ、室の空気清浄度を高めることができる。また、上部還気口から吸引した空気を混合ファンで完全に混合し、給気口から室内へ環流することで、給気口から室内へ吹き下ろされる温度ムラをなくすことができる。
【発明の効果】
【００１９】
以上のように、本発明によれば、熱交用通気路を流通する空気流量とバイパス通気路を流通する空気流量とはそれぞれ独立に制御が可能であるため、混合ファンによって空調機ユニットから吐出される全体の空気流量を制御しつつ、熱交用ファンによって熱交換器を含む熱交換系全体のエネルギー効率が最適となるように熱交用通気路の空気流量を制御することができる。また、熱交用通気路において調温された空気と、バイパス通気路を通過した調温されていない空気とは、混合ファンを通過することで完全に混合される。そのため、空調機ユニットから吐出される空気に温度ムラを生じなくすることが可能となる。
【００２０】
また、熱交換器の近傍に殺菌灯を設けたことで、熱交換器は殺菌灯によって殺菌されるので、熱交換器周辺の熱交用通気路内にカビが発生することが防止される。これにより、熱交換器の下流に設けられるフィルタの目詰まりや機能低下を防止し、室内の空気清浄度をより高く保つことが可能となる。
【図面の簡単な説明】
【００２１】
【図１】本発明の実施例１に係る空調機ユニットの構成を表す図である。（ａ）正面図、（ｂ）平面図、（ｃ）ケーシング２のフロントパネル２ａを取り外した状態のＡ−Ａ線矢視図、（ｄ）Ｂ−Ｂ線矢視断面図。
【図２】図１の空調機ユニット１を、手術室やクリーンルーム等の室２０に設置した空調システムを表す図である。（ａ）上部還気口２２を室２０の壁面近旁の天井面に形成した場合、（ｂ）上部還気口２２を室２０の天井面近旁の壁面に形成した場合。
【図３】本発明の実施例２に係る空調機ユニットの構成を表す模式断面図である。
【発明を実施するための形態】
【００２２】
以下、本発明を実施するための形態について、図面を参照しながら説明する。
【実施例１】
【００２３】
図１は、本発明の実施例１に係る空調機ユニットの構成を表す図である。図１（ａ）は正面図、図１（ｂ）は平面図、図１（ｃ）はケーシング２のフロントパネル２ａを取り外した状態のＡ−Ａ線矢視図、図１（ｄ）はＢ−Ｂ線矢視断面図を其々表している。また、図１（ｃ）において半透明で表示した矢印は、空気が流れる方向を、参考のために示したものである。
【００２４】
本実施例の空調機ユニット１は、空調機ユニット１は、ケーシング２、吸込口３、吹出口４、熱交用通気路５、バイパス通気路６、混合室７、熱交換器８、ドレンパン８ａ、ドレン配管８ｂ、熱交用ファン９、混合ファン１０、電気補助ヒータ１１、及び電装ボックス１２を備えている。
【００２５】
ケーシング２は、縦長扁平の略直方体状の中空ケースであり、手術室やクリーンルーム等の室の壁の裏側の床面上に設置される筺体である。ケーシング２の前面は、脱着可能なフロントパネル２ａで構成されている。吸込口３は、ケーシング２の前側面の下端側に形成されたスリット状の開口部である。吸込口３の前面には、スリット状の吸込口グリル３ａが取り付けられており、吸込口３の中間には塵埃を捕集するためのプレフィルタ３ｂが設けられている。空調機ユニット１の設置時には、室の壁の床面近傍の開口を通して吸込口３が室内に面するように設置される。吹出口４は、ケーシング２の上端面に形成された開口である。熱交用通気路５は、ケーシング２内に形成された、吸込口３と吹出口４を連通する通気路であり、ケーシング２内の下端部から上部にかけての部分に設けられている。バイパス通気路６は、ケーシング２内に熱交用通気路５に並列に形成された、吸込口３と吹出口４を連通する通気路である。混合室７は、ケーシング２内の吹出口４側において熱交用通気路５とバイパス通気路６とが合流する気室であり、ケーシング２内の上部に設けられている。熱交換器８は、熱交用通気路５の入り口に配設されており、調温された熱媒又は冷媒を循環させることによって熱交用通気路５を流通する空気のとの熱交換を行うモジュールである。尚、熱交換器８は、熱交用通気路５の内部に設置してもよい。熱交用ファン９は、熱交用通気路５内の熱交換器８の上部に設けられた送風機である。熱交用ファン９は熱交用通気路５内の空気を吸込口３側から吹出口４側へ圧送する。混合ファン１０は、混合室７内に配設された送風機である。熱交用通気路５及びバイパス通気路６から混合室７へ流入する空気を吹出口４側へ混合圧送する。電気補助ヒータ１１は、混合室７内に設けられた電熱器である。尚、電気補助ヒータ１１は、熱交用通気路５内の熱交換器８より吹出口７側（下流側）に設けてもよい。電装ボックス１２は、ケーシング２内に設けられた、熱交換器８，熱交用ファン９，混合ファン１０，及び電気補助ヒータ１１を制御する制御回路等が集納されている函状室である。
【００２６】
図２は、図１の空調機ユニット１を、手術室やクリーンルーム等の室２０に設置した空調システムを表す図である。図２（ａ）は上部還気口２２を室２０の壁面近旁の天井面に形成した場合、図２（ｂ）は上部還気口２２を室２０の天井面近旁の壁面に形成した場合を其々表している。図２において図１の構成部分と対応する構成部分については、同符号を付している。尚、図２では、代表として１機の空調機ユニット１のみを表示しているが、実際には１つの室２０に対して複数機の空調機ユニット１を設置し、混合チャンバ２７ａ及びＨＥＰＡフィルタ２７Ｂからなる天井吹出ユニット２７に接続するように構成することができる。図２において、空調システムは、空調機ユニット１、下部還気口２１、上部還気口２２、給気口２３、上部還気管２４、外気導入管２５、給気管２６、混合チャンバ２７ａ、及びＨＥＰＡフィルタ２７Ｂを備えている。尚、図２では、代表として１つの空調機ユニット１のみを記載しているが、実際には、空調機ユニット１は室２０の各所に複数設置されており、各空調機ユニット１から延びる給気管２６は混合チャンバ２７ａに連結されている。
【００２７】
下部還気口２１は、室の床面近傍の壁面に形成された、還気ＲＡを導入するための開口である。空調機ユニット１は、図１の空調機ユニットであり、下部還気口２１に吸込口３が面するように、室２０の壁の外側に設置されている。上部還気口２２は、室の天井面近傍の壁面又は壁面近傍の天井面に形成された還気ＲＡを導入するための開口である。給気口２３は、室の天井面に形成された給気ＳＡを室２０内へ放出するための開口である。上部還気管２４は、上部還気口２２と空調機ユニット１の混合室７の混合ファン１０の吸引口側とを連通する流路である。外気導入管２５は、下流側が混合室７の混合ファン１０の吸引口側に連通された流路であり、上流側からは外気ＯＡが導入される。給気管２６は、空調機ユニット１の吹出口４と給気口２３とを連通する流路である。混合チャンバ２７ａは、複数の空調機ユニット１から圧送される調温空気を給気口２３から室２０内へ吹き出す前に混合するためのチャンバである。ＨＥＰＡフィルタ２７Ｂ（High Efficiency Particle Air fliter）は、混合チャンバ２７ａと給気口２３との間に設けられた除塵用のフィルタである。
【００２８】
以上のように構成された本実施例の空調機ユニット１及び空調システムについて、以下その動作を説明する。空調機ユニット１を使用する場合、熱交用ファン９及び混合ファン１０を起動する。このとき、混合ファン１０の出力流量は、天井から床面に吹き下ろす気流の最適な流量に設定する。一つの室に対して空調機ユニット１が複数台設置している場合には、各空調機ユニット１から給気口２３へ供給される空気流量の合計が、天井から床面に吹き下ろす気流の最適な流量となるように、各空調機ユニット１の混合ファン１０の出力流量が設定される。また、熱交用ファン９の出力流量は、設定される温度に対して、熱交換器８を含む熱交換系のエネルギー効率がなるべく高くなるような最適流量に設定する。このとき、熱交用ファン９の出力流量は、必ず混合ファン１０の出力流量よりも小さくなるように設定される。熱交用ファン９の出力流量のほうが大きいと、バイパス通気路６や上部還気管２４から空気が逆流するからである。
【００２９】
下部還気口２１から空調機ユニット１の吸込口３に吸入された室内空気は、熱交用通気路５とバイパス通気路６へ分流し、混合室７の混合ファン１０の吸い込み側で再び合流する。熱交用通気路５を通過する空気は、熱交換器８で熱交換がされ、必要に応じて電気補助ヒータ１１により給熱がされることにより、設置された温度に調温される。一方、混合ファン１０の駆動により、上部還気口２２から混合ファン１０へ、室の天井面の壁面近傍の室内空気が吸入される。このとき、室の天井面の壁面近傍の空中に浮遊する塵埃も室内空気とともに吸入される。また、外気導入が必要な場合、外気導入管２５を通して室外空気が混合ファン１０の吸い込み側へ供給される。
【００３０】
熱交用通気路５、バイパス通気路６、上部還気管２４、外気導入管２５のそれぞれから混合室７へ流入した空気は、混合ファン１０により完全に混合された後、混合チャンバ２７ａへ送風される。混合チャンバ２７ａでは、各空調機ユニット１から送風される空気がさらに混合される。そして、混合チャンバ２７ａに流入し混合された空気は、ＨＥＰＡフィルタ２７Ｂによって除塵された後、給気口２３から室内へ放出される。
【００３１】
このように、本実施例によれば、熱交用ファン９及び混合ファン１０により、熱交換器８で調温される空気流量とバイパス通気路６、上部還気管２４、及び外気導入管２５から導入される風量調節用の空気流量とはそれぞれ独立に制御が可能であるため、混合ファン１０によって空調機ユニット１から吐出される全体の空気流量を制御しつつ、熱交用ファン９によって熱交換器８を含む熱交換系全体（熱交換器８及び熱交換器８に流す熱媒又は冷媒の加熱／冷却系の全体のこと。）のエネルギー効率が最適となるように熱交用通気路５の空気流量を制御することができる。また、熱交用通気路５を流通する調温空気と、バイパス通気路６、上部還気管２４、及び外気導入管２５を通過した調温されていない空気とは、混合ファン１０を通過することで完全に混合されるため、空調機ユニット１から吐出される空気に温度ムラを生じなくすることが可能となる。
【実施例２】
【００３２】
図３は、本発明の実施例２に係る空調機ユニットの構成を表す模式断面図である。図３の断面図は図１（ｄ）の断面図に相当する。図３において、実施例１の図１の各構成部分に対応する構成部分には、同符号を付して説明は省略する。実施例１と比較すると、本実施例では、新たに殺菌灯１３，１３を設けた点が実施例１と相違している。殺菌灯１３は、殺菌用の紫外線を照射するＵＶ照射器である。熱交換器８の近傍の熱交換器８周辺に光線が照射される位置に設けられており、本実施例では、熱交換器８の吸込口３側（上流側）に１つと、熱交換器８の熱交用通気路５側（下流側）に１つ設けられている。「ＵＶ照射器」としては、紫外線ランプや高出力紫外線ＬＥＤが用いられるが、発熱の少なさや寿命の長さ、消費電力の少なさの観点から高出力紫外線ＬＥＤを使用するのが好ましい。殺菌灯１３の点灯／消灯は電装ボックス１２内の制御回路により制御され、空調機ユニット１の起動中に連続的又は間歇的に照射するように制御される。
【００３３】
空調機ユニット１を冷房運転で作働させると、熱交換器８周辺には、空気中の水分が凝集して結露を生じる。この結露によって、熱交換器８周辺は、黴が発生しやすい環境となっている。本実施例では、熱交換器８の近傍に殺菌灯１３を設け、熱交換器８周辺に殺菌用光線を連続的又は間歇的に照射することで、熱交換器８周辺を殺菌し、黴の発生を防止することで、ＨＥＰＡフィルタ２８の目詰まりや機能低下を防止し、室内の空気清浄度をより高く保つことが可能となっている。
【符号の説明】
【００３４】
１  空調機ユニット
２  ケーシング
２ａ  フロントパネル
３  吸込口
３ａ  吸込口グリル
３ｂ  プレフィルタ
４  吹出口
５  熱交用通気路
６  バイパス通気路
７  混合室
８  熱交換器
８ａ  ドレンパン
８ｂ  ドレン配管
９  熱交用ファン
１０  混合ファン
１１  電気補助ヒータ
１２  電装ボックス
１３  殺菌灯
２０  室
２１  下部還気口
２２  上部還気口
２３  給気口
２４  上部還気管
２５  外気導入管
２６  給気管
２７  天井吹出ユニット
２７ａ  混合チャンバ
２７ｂ  ＨＥＰＡフィルタ
【図１】
2020115058.tif 000003
【図２】
2020115058.tif 000004
【図３】
2020115058.tif 000005